(57)【要約】      （修正有）【課題】係止に要する部材のバスダクト幅方向への突出を防ぐことができ、またバスダクトへの取付け及び取り外し作業が容易なバスダクト分岐装置及びバスダクト分岐構造を提供する。【解決手段】導体をハウジング内に収納してなるバスダクトの導体からの分岐を行う分岐手段を備える本体部１２を有し、本体部１２に支持された係止部材２０をハウジングの外側面に対してその幅方向両側から係止させることにより取り付けられるバスダクト分岐装置１０である。そして、双方の係止部材２０は、本体部１２に回動可能に軸支され、且つ係止片４２ｂが常態でハウジングに押し付けられる方向に板バネ５２によって付勢されており、その付勢力に抗する方向に係止部材２０を回動させて係止を解除する操作を行う操作部４８が設けられている。【選択図】図１
2014103843.tif 000002
【特許請求の範囲】
【請求項１】
導体をハウジング内に収納してなるバスダクトの前記導体からの分岐を行う分岐手段を備える本体部を有し、該本体部に支持された係止部材を前記ハウジングの外側面に対して該ハウジングの幅方向両側から係止させることにより、前記バスダクトに取り付けられるバスダクト分岐装置において、
前記係止部材の少なくとも一方又は双方が前記本体部に回動可能に軸支され、且つ該軸支された係止部材は、少なくとも係止部位が常態で前記ハウジングに押し付けられる方向に付勢手段によって付勢され、
該付勢手段の付勢力に抗する方向に前記軸支された係止部材を回動させて前記係止を解除する操作を行う操作部を有することを特徴とするバスダクト分岐装置。
【請求項２】
前記操作部が、前記係止部位よりも前記本体部と前記ハウジングの並び方向におけるより本体部寄りの位置にあることを特徴とする請求項１に記載のバスダクト分岐装置。
【請求項３】
前記付勢手段が、前記本体部と前記係止部材の間に介在することを特徴とする請求項１又は２に記載のバスダクト分岐装置。
【請求項４】
前記本体部は、前記係止状態において前記ハウジングの幅方向両側にそれぞれ位置することが可能となるように突出する突出部を有し、
前記操作部は、前記係止部材と一体であり、
前記係止部材の前記本体部への軸支は、前記係止部位の位置が該軸支される位置よりも前記本体部と前記ハウジングの並び方向におけるより本体部寄りの位置となるように前記突出部に対してなされることを特徴する請求項１〜３の何れか１項に記載のバスダクト分岐装置。
【請求項５】
前記操作部は、前記係止部材と一体であり、
前記係止部材の前記本体部への軸支は、前記操作部と前記係止部位の間の位置でなされていることを特徴とする請求項１〜３の何れか１項に記載のバスダクト分岐装置。
【請求項６】
前記係止状態において前記付勢手段の付勢力に抗する方向への前記係止部材の回動を阻止する解除阻止手段を有することを特徴とする請求項１〜５の何れか１項に記載のバスダクト分岐装置。
【請求項７】
前記係止の解除状態において前記付勢手段により付勢される方向への前記係止部材の回動を阻止する係止阻止手段を有することを特徴とする請求項１〜６に記載のバスダクト分岐装置。
【請求項８】
前記操作部に把持部を設けたことを特徴とする請求項１〜７の何れか１項に記載のバスダクト分岐装置。
【請求項９】
前記付勢手段が弾性パッキン、板バネ又はコイルバネからなることを特徴とする請求項１〜８の何れか１項に記載のバスダクト分岐装置。
【請求項１０】
前記本体部における前記ハウジングと対向する面に、クッション性部材を取り付けてなることを特徴とする請求項１〜９の何れか１項に記載のバスダクト分岐装置。
【請求項１１】
請求項１〜１０の何れか１項に記載のバスダクト分岐装置をバスダクトに取り付けてなるバスダクトの分岐構造において、
前記バスダクトが、前記係止部位が嵌入する凹部を有することを特徴とするバスダクトの分岐構造。
【発明の詳細な説明】
【技術分野】
【０００１】
本発明は、バスダクト分岐装置及びバスダクト分岐構造に関し、特に、ビルや工場等の構造物に布設されたバスダクトから分岐するためのバスダクト分岐装置及びこのバスダクト分岐装置がバスダクトに取り付けられてなるバスダクト分岐構造に関する。
【背景技術】
【０００２】
ビルや工場等の構造物内外で電気幹線路を構成するためにバスダクトが用いられている。従来、このバスダクトから分岐をとる場合には、以下のような分岐装置が用いられている。
【０００３】
特許文献１には、ダクト本体のプラグインホールにプラグヘッドを差し込んで導通可能に取付けられるバスダクト分岐装置において、このプラグインホールの開口周縁部に弾性係止するフックと、このフックの係止を解除する解除部材とからなる係脱機構を設けたバスダクト分岐装置が開示されている。
【０００４】
また、特許文献２には、バスダクト本体の係合縁を挟持する脚にそれぞれ外方に向い突出するボルトと蝶番締付金具の翼片を定着し、上記締付金具の他の一翼片に上記ボルトを貫挿する長孔と上記バスダクト本体の係合縁と対応する係合子を設け、上記他の一翼片の外側よりボルトに螺合する蝶ナットの締付、弛緩により上記係合縁と係合子の係合、離脱をなしうるよう上記翼片を常時離間するように付勢するバネを介装したバスダクト分岐装置が開示されている。
【０００５】
更に、特許文献３には、箱体と、該箱体の取付面から突出して設けられた分岐用端子と、該取付面前端の略近傍に設けられた係止部材とを有し、バスダクトの係止孔にその係止部材を挿入し、係止部材を中心に回動しながら取り付けられるバスダクト分岐装置が開示されている。そして、箱体の取付面後端の略近傍にバネ部材により左右から内方に付勢される固定フックが設けられ、この固定フックを係合させてバスダクト分岐装置はバスダクトに固定される。この固定フックは、取付面後端の略近傍に脚片が突出して設けられると共に、この脚片の外方で前記バネ部材が支持され、そして、固定フックはこの脚片の外側でそのバネ部材により内方に付勢される構成であり、この付勢方向に対する略垂直面で固定フックの一部が脚片からさらに内方に突出している構成となっている。
【先行技術文献】
【特許文献】
【０００６】
【特許文献１】特開平６−６９２９号公報
【特許文献２】実公昭４３−１８４５８号公報
【特許文献３】特開２００２−１３５９５１号公報
【発明の概要】
【発明が解決しようとする課題】
【０００７】
しかしながら、特許文献１では、バスダクト分岐装置をバスダクトに固定する際に、バスダクト分岐装置のフックが、プラグインホールの開口周縁部にバスダクトの内側から係止する構成となっている。よって、何らかの不具合によりこのフックの係止状態を解除できなくなった場合に、バスダクト自体を解体しなければバスダクト分岐装置の取り外しができなくなってしまうおそれがある。また、係止状態においてフックはバスダクト内に位置するので、これが係止されているか否かが外側から目視できず、安全性の問題も生じてくる。更に、このフック等が何らかの不具合によりバスダクト内へと落下した場合には、バスダクトの通電に支障をきたすおそれもある。これらのことを考慮すると、バスダクト分岐装置をバスダクトに固定する部材は、バスダクトに対してその外側から係合するものであることが望ましい。
【０００８】
バスダクト分岐装置を、バスダクトに対して外側から係合固定する構成は、例えば、上記特許文献２及び３において提案されている。
【０００９】
しかし、特許文献２では、バスダクト分岐装置の取付け作業時に最後に蝶ナットにより蝶番状の締付金具を締付けるという作業を要し、且つ取り外し作業時も同様に蝶番状の締付金具を緩めるという作業を要するので、バスダクト分岐装置の取付け及び取り外し作業に多大な労力を費やしてしまうという不具合が生じていた。また、脚から外方に突出するボルトに蝶ナットが螺着していることから、このボルト及び蝶ナット等、すなわち、バスダクト分岐装置のバスダクトへの係合固定に要する部分がバスダクト分岐装置の幅よりも外方へと突出し、邪魔になるという不具合も生じていた。
【００１０】
また、特許文献３では、蝶番状の締付金具の締付作業及びこれを緩める作業が不要であるので、バスダクト分岐装置の取付け及び取り外し作業が特許文献２より容易となる。しかし、固定フックが外側からバネ部材で内方に付勢されているため、脚から外方へ突出するバネ部材等、すなわち、バスダクトにバスダクト分岐装置を固定する部分がバスダクト分岐装置の幅より外方に大きく突出してしまい邪魔になると共に意匠的に悪いという不具合が解消されていない。
【００１１】
また、特許文献３では、上記固定・固定解除の際に操作される固定フックが、バスダクト分岐装置における分岐ボックスから最も離れた位置にある。よって、バスダクトへのバスダクト分岐装置の取付け・取り外し作業は、一般にバスダクト分岐装置側から行われるところ、バスダクト分岐装置側からこの固定フックに手を伸ばし、これをバネ部材の付勢力に抗して外方に移動させる作業を要することとなり、作業が行いづらいという課題がある。また、バスダクト分岐装置自体の大きさもその容量によって大小様々であり、バスダクト分岐装置自体が大きい場合には無理な体勢で作業を行うことにつながる。
【００１２】
そして、上記固定解除の作業は、少なくとも２つの固定フックに対して同時に行う必要もあり、バスダクト分岐装置の取り外し作業に関して未だ多大な労力を費やしてしまうという不具合が解消されていない。
【００１３】
本発明は上記課題を鑑みてなされたものであり、その目的は、バスダクトに対して外側から係止されて取り付けられるバスダクト分岐装置において、バスダクトへの取付け及び取り外し作業が容易なバスダクト分岐装置及びこのバスダクト分岐装置がバスダクトに取り付けられてなるバスダクト分岐構造を提供することにある。
【００１４】
また、係止に要する部材のバスダクト幅方向への突出を極力防ぎ、意匠的に優れたバスダクト分岐装置を提供することにある。
【課題を解決するための手段】
【００１５】
上記課題を解決するための請求項１に記載の発明は、導体をハウジング内に収納してなるバスダクトの前記導体からの分岐を行う分岐手段を備える本体部を有し、該本体部に支持された係止部材を前記ハウジングの外側面に対して該ハウジングの幅方向両側から係止させることにより、前記バスダクトに取り付けられるバスダクト分岐装置において、前記係止部材の少なくとも一方又は双方が前記本体部に回動可能に軸支され、且つ該軸支された係止部材は、少なくとも係止部位が常態で前記ハウジングに押し付けられる方向に付勢手段によって付勢され、該付勢手段の付勢力に抗する方向に前記軸支された係止部材を回動させて前記係止を解除する操作を行う操作部を有することを特徴とする。
【００１６】
この構成によれば、本体部に軸支された係止部材の係止部位が、付勢手段によって付勢されてハウジング外側面にその幅方向両側から押し付けられることによりハウジングに対して係止され、これによりバスダクト分岐装置がバスダクトに取り付けられる。また、この取付け状態（すなわち、係止状態）で、係止部材を付勢手段の付勢力に抗する方向に回動させるだけでハウジングに押付けられた係止部材の係止部位が離反する方向に回動し、係止が解除される。
【００１７】
よって、従来よりもバスダクト分岐装置のハウジングへの取付け及び取り外し作業が容易となっている。
【００１８】
さらに、上記係止・係止解除の機構に軸による係止部材の回動機構を導入することにより、付勢手段及び操作部等のハウジングへの係止・係止解除に要する部材を、ハウジングの幅方向、すなわち、係止部材の係止部位の移動方向とはオフセットした位置に配置可能となるので、付勢手段及び操作部等のバスダクトの幅方向への突出を極力防ぐことができる。
【００１９】
請求項２に記載の発明は、請求項１に記載のバスダクト分岐装置において、前記操作部が、前記係止部位よりも前記本体部と前記ハウジングの並び方向におけるより本体部寄りの位置にあることを特徴とする。
【００２０】
この構成によれば、バスダクトのハウジングへのバスダクト分岐装置の取付け状態において、バスダクト分岐装置の取り外し作業を、係止部位よりも本体部とハウジングの並び方向におけるより本体部寄りの位置にある操作部まで手を届かせることで可能となるので、さらにバスダクト分岐装置の取付け・取り外し作業が容易となっている。
【００２１】
請求項３に記載の発明は、請求項１又は２に記載のバスダクト分岐装置において、前記付勢手段が、前記本体部と前記係止部材の間に介在することを特徴とする。
【００２２】
この構成によれば、本体部に軸支された係止部材の係止部位が、付勢手段によって付勢されてハウジング外側面にその幅方向両側から押し付けられることによりハウジングに対して係止され、これによりバスダクト分岐装置がバスダクトに取り付けられる。また、付勢手段が前記係止部材と前記本体部の間に介在することから、係止部材から付勢手段が突出することなく、付勢手段等のバスダクトの幅方向への突出を極力防ぐことができ、外観が意匠的に優れたバスダクト分岐構造を提供することが可能となる。
【００２３】
請求項４に記載の発明は、請求項１〜３の何れか１項に記載のバスダクト分岐装置において、前記本体部は、前記係止状態において前記ハウジングの幅方向両側にそれぞれ位置することが可能となるように突出する突出部を有し、前記操作部は、前記係止部材と一体であり、前記係止部材の前記本体部への軸支は、前記係止部位の位置が該軸支される位置よりも前記本体部と前記ハウジングの並び方向におけるより本体部寄りの位置となるように前記突出部に対してなされることを特徴する。
【００２４】
この構成によれば、係止部材において、本体部からハウジングへの並び方向の順方向に、操作部、係止部位、軸部分が順に並ぶ構成となる。したがって、軸部分（支点）から操作部（力点）までの距離が、軸部分（支点）から係止部位（作用点）までの距離より大きくなるので、テコの原理により、より小さな力で付勢手段による付勢力に抗して操作部を操作することができる。よって、バスダクトのハウジングと係止部材の係止の解除をより容易に行うことができる。
【００２５】
請求項５に記載の発明は、請求項１〜３の何れか１項に記載のバスダクト分岐装置において、前記操作部は、前記係止部材と一体であり、前記係止部材の前記本体部への軸支は、前記操作部と前記係止部位の間の位置でなされていることを特徴とする。
【００２６】
この構成によれば、操作部が係止部材と一体であり、且つ、操作部と上記係止部位の間の位置で係止部材が本体部に軸支されているので、ハウジングへの係止部位の押し付け方向と操作部の移動方向が逆方向となる、すなわち、係止部材の係止部位がバスダクトのハウジングに押し付けられる場合は、操作部は本体部側からその幅方向に離反することになり、係止部位がハウジングから離反する場合、操作部は本体部側からその幅方向に近接する。よって、バスダクト分岐装置をバスダクトから取り外すにあたり、作業者は、本体部を掴むと同時に操作部を本体部に近接させることで係止部材の係止部位をバスダクトのハウジングから離反させることができ、スムーズにバスダクト分岐装置の取り外し作業を行うことが可能となる。
【００２７】
さらに、いわゆる「テコ」の力点となる操作部と作用点となる係止部位が、支点となる軸部分を介して反対側に位置する。よって、作業者によって操作される操作部からバスダクトのハウジングに係止する係止部位までの距離を最大化させることができる。よって、バスダクトのハウジングへの本体部の取付け作業から取り外し作業までにおいて、本体部側からバスダクト側へと手を伸ばす距離をさらに短くすることが可能となり、作業がさらに容易となる。
【００２８】
請求項６に記載の発明は、請求項１〜５の何れか１項に記載のバスダクト分岐装置において、前記係止状態において前記付勢手段の付勢力に抗する方向への前記係止部材の回動を阻止する解除阻止手段を有することを特徴とする。
【００２９】
この構成によれば、ハウジングと係止部材の係止状態を、解除阻止手段によって係止部材の回動を阻止することにより固定することができる。よって、何らかの外力による係止の解除が未然に防止され、ハウジングと係止部材の係止の安定性がより向上している。
【００３０】
請求項７に記載の発明は、請求項１〜６の何れか１項に記載のバスダクト分岐装置において、前記係止の解除状態において前記付勢手段により付勢される方向への前記係止部材の回動を阻止する係止阻止手段を有することを特徴とする。
【００３１】
この構成によれば、バスダクトのハウジングと係止部材の係止が解除された状態を、係止阻止手段によって係止部材の回動を阻止することにより固定することができる。これにより、例えば、一対の係止部材の双方が軸による回動機構を有する場合や、本体部が大きいことにより二対以上の係止部材が本体部に設けられている場合に、上記阻止手段によって一つずつ係止部材を係止解除状態で固定することにより、作業者が両手で、あるいは数人がかりで同時に全ての係止部材を係止解除状態に維持させる必要が無くなり、本体部の取り外し作業がより容易となる。
【００３２】
請求項８に記載の発明は、請求項１〜７の何れか１項に記載のバスダクト分岐装置において、前記操作部に把持部を設けたことを特徴とする。
【００３３】
この構成によれば、把持部を把持することで操作部の操作性が向上し、本体部の取り外し作業をより容易に行うことが可能となる。
【００３４】
請求項９に記載の発明は、請求項１〜８の何れか１項に記載のバスダクト分岐装置において、前記付勢手段が弾性パッキン、板バネ又はコイルバネからなることを特徴とする。
この構成によれば、付勢手段を、本体部に軸支された係止部材の回動方向に付勢させるのに適した形状とすることが容易となる。
【００３５】
請求項１０に記載の発明は、請求項１〜９の何れか１項に記載のバスダクト分岐装置において、前記本体部における前記ハウジングと対向する面に、クッション性部材を取り付けてなることを特徴とする。
【００３６】
この構成によれば、バスダクトのハウジングへの本体部の取付け状態において、ハウジングに取り付けられた本体部とそのハウジングの対向する面との間の空間がクッション性部材によって埋められるので、クッション性部材の反発力により係止部材が確実にバスダクトのハウジングに係止され、本体部のガタつきが無く安定的に本体部のバスダクトへの取付け状態を維持することができる。
【００３７】
請求項１１に記載の発明は、請求項１〜１０の何れか１項に記載のバスダクト分岐装置をバスダクトに取り付けてなるバスダクトの分岐構造において、前記バスダクトが、前記係止部位が嵌入する凹部を有することを特徴とする。
【００３８】
この構成によれば、係止部材のバスダクトのハウジング外側面への係止の際に、係止部材の係止部位をバスダクトの凹部に嵌入させることができるので、より安定的に係止状態を保持させることが可能となる。
【発明の効果】
【００３９】
本発明によれば、バスダクト分岐装置のうち、バスダクトハウジングへの係止・係止解除に要する部分（付勢手段及び操作部等）のバスダクトの幅方向への突出を防ぐことができるので、作業の邪魔にならないだけでなく意匠性に優れたバスダクト分岐構造を提供することができる。
【００４０】
また、バスダクト分岐装置のバスダクトハウジングへの取付け・取り外し作業が容易となるので、構造物に布設されたバスダクト全体からの分岐作業及び取り外し作業の迅速化を図ることができる。
【図面の簡単な説明】
【００４１】
【図１】本発明の第１実施の形態に係るバスダクト分岐装置１０を示す図である。
【図２】係止部材２０を説明するための分解斜視図である。
【図３】バスダクト分岐装置１０と共にバスダクト分岐構造を構成するバスダクト６０を示す図である。
【図４】バスダクト分岐装置１０のバスダクト６０への取付けを説明するための図である。
【図５】本発明の第２実施の形態に係るバスダクト分岐装置８０の、バスダクト６０への取付けを説明するための図である。
【図６】本発明の第２実施の形態に係るバスダクト分岐装置８０の、係止部材に係る変形例１を説明するための図である。
【図７】本発明の第２実施の形態に係るバスダクト分岐装置８０の、係止部材に係る変形例２を説明するための図である。
【図８】本発明の第１及び第２実施の形態に係るバスダクト分岐装置とは、脚片と係止部材の軸支の態様を変更した変形例３を説明するための図である。
【図９】本発明の第１実施の形態に係るバスダクト分岐装置１０の、付勢手段に係る変形例４を説明するための図である。
【図１０】本発明の第２実施の形態のバスダクト分岐装置８０であって脚片の形状を変更させた変形例５に係るものの、ハウジング６６への取付けを説明するための図である。
【図１１】導体が絶縁物で被覆されたバスダクト１３０及びこのバスダクト１３０同士の接続部である接続ユニット１５０を説明するための図である。
【図１２】本発明の第１及び第２実施の形態の変形例６に係るバスダクト分岐装置１７０の、接続ユニット１５０への取付けを説明するための図である。
【図１３】本発明の第２実施の形態に係るバスダクト分岐装置８０の、係止部材及びこれを軸支する脚片のさらなる変形例７を説明するための要部分解図である。
【図１４】変形例７に係るバスダクト分岐装置８０の、バスダクト６０のハウジング６６への取付けを説明するための図である。
【図１５】変形例８に係るバスダクト分岐装置８０の係止部材及び脚片を説明するための要部分解図である。
【図１６】変形例８に係るバスダクト分岐装置８０の係止部材及び脚片を説明するための図である。
【図１７】変形例８に係るバスダクト分岐装置８０の、バスダクト６０のハウジングへの取付けを示す図である。
【図１８】変形例９に係るバスダクト分岐装置８０の係止部材及び脚片を説明するための図である。
【発明を実施するための形態】
【００４２】
次に、本発明の実施の形態について図に基づいて詳細に説明する。
【００４３】
（第１実施の形態）
バスダクトに取り付けられてこのバスダクトの導体から分岐を行う、本発明に係るバスダクト分岐装置の第１実施の形態を、水平に配設されたバスダクトに対して上方からバスダクト分岐装置を取り付ける場合を例に、図１〜４を参照して説明する。尚、バスダクトの配設方向及びバスダクト分岐装置の取付け方向はこの方向に限られるものではない。
【００４４】
図１は、本発明の実施の形態に係るバスダクト分岐装置を示す図であり、図１（ａ）は正面図、図１（ｂ）は側面図、図１（ｃ）は背面図、図１（ｄ）は底面図である。図２は、本実施の形態に係る係止部材を説明するための分解斜視図であり、図３は、本実施の形態に係るバスダクト分岐装置と共にバスダクト分岐構造を構成するバスダクトを示す図であり、図３（ａ）は正面図、図３（ｂ）は側面図、図３（ｃ）は底面図である。図４は、本実施の形態に係るバスダクト分岐装置のバスダクトへの取付けを説明するための側面図であり、図４（ａ）は取付け前、図４（ｂ）は取付け中、図４（ｃ）は取付け後、図４（ｄ）はネジ５０（解除阻止手段）によって係止部材２０の回動を阻止した状態を、それぞれ示している。
【００４５】
尚、以下、図１（ａ）の矢印ｘ方向を長さ方向、矢印ｙ方向を幅方向、図１（ｂ）の矢印ｚ方向を高さ方向と称す。図２以降においても同様とする。
【００４６】
図１に示すように、バスダクト分岐装置１０は、バスダクトの導体からの分岐を担う分岐手段を有する断面略矩形の箱状の本体部１２を有する。この本体部１２の背面から、クリップ状であって後述するバスダクトの導体を挟み込んで分岐を取るための４対の接触子１６が、それぞれ外部へ、すなわち、後述するバスダクトへの取付け方向となる高さ方向で下方へと突出している。
【００４７】
この接触子１６は、絶縁性のホルダー１８により各対の接触子１６が、他の対の接触子１６と絶縁されるように被覆されている。接触子１６の並び方向つまり幅方向のさらに外側には、本体部１２の背面から高さ方向下方に突出し、ハウジングの外側面に対してその幅方向両側から係止される係止部材２０が本体部１２に支持されている。
【００４８】
本体部１２の底面には、他の機器に送電するためのケーブル２２が取り付けられており、正面は略全面が本体部１２を開閉可能な蓋部２４となっており、この蓋部２４の一カ所に蓋部２４の開閉を規制する鍵が挿入される鍵穴２６が設けられている。
【００４９】
本体部１２の背面には、略中央部に上述の接触子１６及びホルダー１８を挿通させる開口部２８ａを備える略矩形のベース面２８を有する一枚の板状体２９がこのベース面２８にてその本体部１２の背面に固定されており、板状体２９は、図２に示すように、ベース面２８の両側側縁２８ｂ（つまり幅方向両側縁）で高さ方向下方に（すなわち、本体部１２から離反する方向に）折曲され、本体部から高さ方向下方に突出する脚片３０（突出部）を構成している。さらに板状体２９は、ベース面２８の長さ方向両側縁２８ｃでそれぞれ高さ方向下方へ折曲されてなる補強片３２を有する。
【００５０】
脚片３０（突出部）は、略矩形の平板部３４と、平板部３４の長さ方向両側縁３４ａで本体部１２の幅方向外方に折曲されて対峙する略矩形のフランジ状であって、後述する係止部材２０を軸支するための軸孔３６ａが設けられた支持片３６となっている。尚、軸孔３６ａは、支持片３６の下方側に、互いに対向する位置に設けられている。
【００５１】
係止部材２０は、支持片３６に軸支された状態で脚片３０の平板部３４に対して平行に対向配置される略矩形且つ下部側がやや切り欠かれた回動基部４０と、この回動基部４０の長さ方向両側縁４０ａで脚片３０側に屈曲延設され、且つ支持片３６の外側に位置する回動固定片４２と、この回動固定片４２における脚片３０と近接する側縁４２ａの略中央部に設けられ、高さ方向下方から上方へ行くに連れて脚片３０と近接するように略三角形状に突出する係止片４２ｂ（係止部位）とを有する。さらに、回動固定片４２には、支持片３６に重ね合わせた状態で軸孔３６ａと対応する位置となる軸孔４２ｃが設けられており、この軸孔４２ｃ、３６ａに軸ネジ４４（図１（ｂ）及び図１（ｃ）参照乞う）が挿通することで、係止部材２０が脚片３０に回動可能に軸支される。
【００５２】
また、係止部材２０は、回動基部４０の下縁４０ｂで脚片３０側へと屈曲され、後述する付勢手段を保持する保持片４６となっている。さらに、係止部材２０は、回動基部４０の上縁４０ｃで脚片３０と離反する方向（幅方向外方向）に屈曲され、さらに上方へと屈曲延設してなる操作部４８を有する。
【００５３】
また、回動基部４０の下部側には、雌ネジが切られたネジ孔４０ｄが設けられており、ネジ５０（解除阻止手段）（図１（ｂ）及び図１（ｃ）参照乞う）を螺入させ、このネジ５０の先端を脚片３０の平板部３４に当接させることで係止部材２０の回動が阻止されることとなる。
【００５４】
付勢手段は、矩形の金属板をくの字に折り曲げてなる板バネ５２である。この板バネ５２は、折曲縁５２ａを上方に向けて、脚片３０と係止部材２０との間に装填され、保持片４６上に保持される。尚、板バネ５２には、折り曲げた板部の対向する位置に上述のネジ孔４０ｄより大きな径を有する孔部５２ｂ、５２ｂがそれぞれ設けられている。この孔部５２ｂに、ネジ孔４０ｄに螺入したネジ５０が挿通される。
【００５５】
次に、脚片３０（本体部１２の突出部）への、係止部材２０及び板バネ５２の組み付けを説明する。まず、脚片３０の平板部３４と係止部材２０の回動基部４０を対向させ、支持片３６の外側に回動固定片４２を重ね合わせる。このとき、平板部３４と回動基部４０との間に板バネ５２をその折曲縁５２ａを上方に向けて装填する。そして、重ね合わせた支持片３６の軸孔３６ａと回動固定片４２の軸孔４２ｃに軸ネジ４４を挿通させ、且つその軸ネジ４４の先端が板バネ５２の折曲箇所内に位置する、すなわち、軸ネジ４４の先端を跨ぐように板バネ５２を配置させる。以上により、上述の保持片４６との協働で板バネ５２の位置決めが安定化される。
【００５６】
そして、回動基部４０のネジ孔４０ｄに螺入させたネジ５０（解除阻止手段）を、その先端が孔部５２ｂをそれぞれ挿通するまでさらに螺入させる。尚、回動基部４０のネジ孔４０ｄに挿通されるネジ５０（解除阻止手段）の先端は、あえて平板部３４まで届かない状態で維持され、ネジ５０の全てを螺入していない状態とされている（図１（ｂ）参照乞う）。これは、操作部４８を板バネ５２の付勢力に抗してある程度動作可能とするためである。
【００５７】
また、ベース面２８の下面には、所定の弾性を有するパッキン等のクッション性部材９１が貼設されている（図１（ｃ）参照乞う）。
【００５８】
次に、本実施の形態に係るバスダクト分岐装置１０の取り付け対象となるバスダクト６０について説明する。
【００５９】
図３に示すように、バスダクト６０は、断面略コ字状のハウジング半体６２及び６４を、それらの凹部側から嵌め合わせてなる断面略矩形のハウジング６６を有する。ハウジング６６の内部には、帯板状の４線の導体６８が、その幅方向側面６８ａ同士を対向させてそれぞれ平行に延在するように、絶縁支持部材である碍子等（図示せず）により相互に固定され、所定の間隔をおいて隔離した状態で配置されている。すなわち、本実施の形態においては、バスダクト６０は、空気絶縁方式を採用したものである。
【００６０】
ハウジング６６の上面６６ａ及び下面６６ｂ（図３（ｂ）参照乞う）には、そのハウジング６６の延在方向（長さ方向）に、所定間隔をおいて複数の開口部７０（図３（ａ）参照乞う）が設けられている。この開口部７０は、４線の導体６８が露出するサイズの、ハウジング６６の幅方向に伸長する長孔であって、長さ方向に対向する開口縁部７０ａには、ハウジング６６の延在方向（長さ方向）に伸びる切欠き部７０ｂが対向するように形成されている。
【００６１】
この開口部７０は、ハウジング６６の内側からハウジング６６に取付けられた略矩形のカバー７２によって閉塞されている。このカバー７２のハウジング６６への取付けは、先端がカバー７２に螺着されたネジ７４の頭部が、切欠き部７０ｂの縁部に係止されることによりなされている。すなわち、作業者がこのネジ７４の頭部をつまみ、開口部７０を横切って対向する切欠き部７０ｂへとネジ７４の頭部を係止し直すことで、開口部７０は開放される。このようにして、開口部７０は開閉可能となっている。
【００６２】
ハウジング６６の両側面６６ｃには、そのハウジング６６の長さ方向に延在する凹部である溝部６６ｄ、６６ｅが、それぞれ対向するように凹設されており、この両側面６６ｃにおける溝部６６ｄ及び６６ｅ間の部位でハウジング半体６２及び６４が長さ方向に所定間隔でねじ止めされ、固定されている。ハウジング６６の上面６６ａ及び下面６６ｂの長さ方向両端部には、導体６８を露出させる切り欠き部７６が形成されており、この切り欠き部７６のある領域で導体６８相互が接続される構成となっている。導体６８相互が接続された後、接続部となる切り欠き部７６は閉塞部材（図示せず）によって閉塞され、同様にして複数のバスダクト６０を相互に連結することで、ビルや工場等の構造物に布設されるバスダクト幹線が形成される。
【００６３】
尚、図示省略するが、突き合わせ状態の導体６８相互は、導電性を有する当て板等を沿わせて、ボルトナット等の締着具で締め付けて接続する等適宜である。
【００６４】
次に、バスダクト６０のハウジング６６への、本実施の形態に係るバスダクト分岐装置１０の取付けを説明する。
【００６５】
図４（ａ）に示すように、バスダクト６０は水平方向に延在している。すなわち、本図においては、バスダクト６０は、前後方向に延在するバスダクト６０の断面として描かれている。このバスダクト６０におけるハウジング６６の上面６６ａに設けられた開口部７０に対して上方から、接触子１６の並び方向と導体６８の並び方向とを対応させて、接触子１６及びホルダー１８を矢印１００方向（下方）に挿入する。
【００６６】
すると、接触子１６及びホルダー１８を挿入するにつれて、図４（ｂ）に示すように、ハウジング６６の幅方向内方へと突出する係止片４２ｂ（係止部位）が、ハウジング６６の幅方向側面６６ｃに当接して係止部材２０が板バネ５２の付勢力に抗して矢印２００方向、すなわち、外方へと回動する。さらに、接触子１６及びホルダー１８を下方へと移動させると、ハウジング６６の幅方向側面６６ｃ上を滑り続けた係止片４２ｂの鋭角部は、図４（ｃ）に示すように、溝部６６ｄに差し掛かったところで板バネ５２の付勢力により矢印３００方向へと回動してハウジング６６の溝部６６ｄへと嵌入し、この溝部６６で係止片４２ｄがハウジング６６の幅方向両側面６６ｃと係止される。
【００６７】
以上により、バスダクト分岐装置１０がバスダクト６０のハウジング６６に取り付けられる。
【００６８】
また、バスダクト分岐装置１０の取り外しを行う場合は、逆の動作を行えばよい。すなわち、係止片４２ｂよりも本体部１２側に位置する操作部４８を外方へと移動させ、係止状態を解除する。そして、解除状態のままハウジング６６の開口部７０内に挿入した接触子１６及びホルダー１８を上方へと引き抜き、バスダクト分岐装置１０をハウジング６６から取り外すこととなる。
【００６９】
したがって、本実施の形態に係るバスダクト分岐装置１０によれば、まず、バスダクト分岐装置１０のバスダクト６０への取付け及び取り外しをワンタッチで行うことが可能となっている。
【００７０】
さらに、バスダクト分岐装置１０のハウジング６６への取付け及び取り外しの作業において、係止部材２０を板バネ５２の付勢力に抗する方向に回動させるだけでハウジング６６に押付けられた係止片４２ｂが溝部６６ｄから離反し、係止が解除される。よって、従来よりもバスダクト分岐装置１０のハウジング６６からの係止解除が容易であり、その取り外しも容易となっている。
【００７１】
そして、この係止解除作業の際、バスダクト分岐装置側から手を操作部４８まで届かせるだけで良く（すなわち、操作部４８のさらに下方に位置する係止片４２ｂにまで手を伸ばして係止片４２ｂを溝部６６ｄから離反させるという手間が不要である）、作業がより容易となっている。これは、電気容量が大きいためにバスダクト分岐装置が大きい場合、特に有利である。
【００７２】
そのうえ、上記係止・係止解除の機構に軸ネジ４４を軸とした係止部材２０の回動機構を導入することにより、操作部４８及び板バネ５２等の係止部材２０とハウジング６６の係止・係止解除に要する部分を、係止片４２ｂの移動方向とオフセットした位置に配置させることが可能となっている。したがって、係止に要する部材のバスダクト６６の幅方向への突出が抑えられた構成となっている。
【００７３】
また、係止部材２０と脚片３０の間に板バネ５２が介在するため、図１（ａ）〜（ｄ）から理解されるように、係止部材２０からその幅方向（ｙ方向）外方へと板バネ５２が突出することがなく、この板バネ５２等のバスダクト６０の幅方向への突出を防ぐことができ、外観が意匠的に優れたバスダクト分岐装置となっている。
【００７４】
なお、本実施の形態によれば、本体部１２の脚片３０に軸支された係止部材２０において、操作部４８、係止片４２ｂ及び軸ネジ４４に支持された部位（軸部）が順に位置しているので、軸部（支点）から操作部４８（力点）までの距離が、軸部（支点）から係止片４２ｂ（作用点）までの距離より大きくなり、テコの原理により、より小さな力で板バネ５２（付勢手段）による付勢力に抗して操作部４８を操作することができる。よって、バスダクト６０のハウジング６６と係止部材２０の係止解除をより容易に行うことができる。
【００７５】
加えて、図４（ｄ）に示すように、ネジ５０（解除阻止手段）を用いる場合には、ネジ５０（解除阻止手段）を矢印４００方向へと螺入させてその先端を平板部３４まで略当接させ、係止部材２０の開き方向への回動を阻止することができる（なぜなら、操作部４８を外方へと移動させようとしても、ネジ５０の先端が平板部３４に当接しているため、移動しないようになっている）。
【００７６】
よって、誤って作業者が操作部４８に触れること等の何らかの外力による係止解除が未然に防止され、ハウジング６６と係止手段の係止の安定性がより向上する。
【００７７】
（第２実施の形態）
次に、本発明に係るバスダクト分岐装置の第２実施の形態を、第１実施の形態同様水平に配設されたバスダクトに対して上方からバスダクト分岐装置を取り付ける場合を例に、図５を参照して説明する。図５は、本発明の第２実施の形態に係るバスダクト分岐装置８０の、バスダクト６０への取付けを説明するための図である。図５（ａ）は取付け前、図５（ｂ）は取付け中、図５（ｃ）は取付け後の状態を、それぞれ示している。尚、上記実施の形態と同様の構成要素には同一の符号を付することでその詳細な説明を省略する。
【００７８】
このバスダクト分岐装置８０は、係止部材が、本体部１２の突出する脚片３０（突出部）に軸支されており、且つ付勢手段によって構成されている点は共通するが、細部の構成においてやや異なる。
【００７９】
具体的には、図５に示すように、脚片３０においては、支持片８２が平板部３４の下端まで延在しており、支持片８２の軸孔（第１実施の形態の軸孔３６ａに相当）が、支持片８２の上端部近傍に位置している点において異なる。
【００８０】
係止部材８４は、支持片８２に軸支された状態で平板部３４に対して平行に対向配置された略矩形の回動基部８６と、この回動基部８６の長さ方向両側縁で脚片３０側に屈曲延設され、且つ支持片８２の外側に位置するように配置された回動固定片８８と、この回動固定片８８における脚片３０と近接する側縁８８ａの下端から上方へと側縁８８ａの高さ方向略中央まで脚片３０と近接するように突出する略三角形状の係止片８８ｂ（係止部位）と、回動基部８６の上縁８６ｃで本体部１２から離反しつつ上方へと延在するように屈曲延設された板状の操作部９０とを有する。
【００８１】
回動固定片８８には、その上端部近傍に軸孔（第１実施の形態の軸孔４２ｃに相当）が設けられており、この軸孔で支持片８２の軸孔と位置合わせされ、軸ネジ４４がこれらの軸孔を挿通する。
【００８２】
尚、板バネ５２（付勢手段）は、折曲縁５２ａを下方に向けて軸ネジ４４を跨ぐ状態に配置されている。
【００８３】
これにより、軸部より係止片８８ｂ（係止部位）が下方に位置し、軸部より操作部９０が上方に位置することとなる。
【００８４】
次に、バスダクト６０のハウジング６６への、本実施の形態に係るバスダクト分岐装置８０の取付けを説明する。まず、図５（ａ）に示すように、バスダクト６０の開口部７０と対応する位置に、バスダクト分岐装置８０を、接触子１６及びホルダー１８を下方へと向けて配置する。そして、バスダクト分岐装置８０を下方へ、すなわち、矢印５００方向へと移動させる。
【００８５】
これにより、図５（ｂ）に示すように、係止片８８ｂ（係止部位）がハウジング６６の側面６６ｃに当接して板バネ５２の付勢力に抗してハウジング６６の幅方向外方へと回動しつつ側面６６ｃ上をその鋭角部が滑りながら下方へと移動する。そして、さらに下方へ移動すると、係止片８８ｂの鋭角部はハウジング６６の溝部６６ｄに到達し、板バネ５２の付勢力によりこの溝部６６ｄへと嵌入し、係止される（図５（ｃ）参照乞う）。
【００８６】
この状態において、接触子１６の各対がバスダクト６０の導体６８を挟み込んだ状態となっており、良好な分岐が行えることとなる。同時に、本体部１２の下面に固定されたベース面２８とハウジング６６の上面６６ａの間にはクッション性部材９１が介在しているので、バスダクト分岐装置８０のハウジング６６への取付け状態において両者間に少々の空隙がある場合であってもこのクッション性部材９１によってその空隙が埋められ、且つそのクッション性部材の反発力により係止部材８８が確実にハウジング６６に係止され、安定的に本体部１２のバスダクト６０への取付け状態を維持することができる。
【００８７】
バスダクト分岐装置８０をハウジングから取り外す場合は、上記動作の逆を行えばよく、まず操作部９０を板バネ５２の付勢力に抗して本体部１２側に移動させることにより回動固定片８８が回動して係止片８８ｂが溝部６６ｄから離反することとなり、係止が解除される。この係止解除状態でバスダクト分岐装置８０を引抜くことで、取り外しが完了する。
【００８８】
以上、本実施の形態に係るバスダクト分岐装置８０及びバスダクト分岐構造によれば、上記第１実施の形態と同様の効果があると共に、バスダクト分岐装置８０の取り外し時に操作部９０を内方、すなわち、本体部１２側に移動させてそのまま本体部１２を持ち、取り外すことができるため、バスダクト分岐装置８０の取り外し作業がより容易になる。
【００８９】
また、いわゆる「テコ」の力点となる操作部９０と作用点となる係止片８８ｂが、支点となる軸ネジ４４を介して反対側に位置するので、作業者によって操作される操作部９０からバスダクト６０のハウジング６６に係止する係止片までの距離を最大化させることができる。よって、バスダクト６０のハウジング６６への本体部１２の取付け作業から取り外し作業までにおいて、取付け方向へと手を伸ばす距離をさらに短くすることが可能となり、作業がさらに容易となる。
【００９０】
（上記実施の形態の変形例）
以上、本発明の実施例について説明したが、本発明は要旨の範囲内において、拡張及び変形が可能であり、各発明や実施例の構成の他に、これらの部分的な構成を本明細書開示の他の構成に変更して特定したもの、或いはこれらの構成に本明細書開示の他の構成を付加して特定したもの、或いはこれらの部分的な構成を部分的な作用構成が得られる限度で削除して特定した上位概念化したものも含まれ、例えば下記のような変形例も包含される。
【００９１】
（変形例１）
例えば、係止部材の構造は上記実施の形態に限定されず、様々な例が考えられる。本例は、第２実施の形態のバスダクト分岐装置８０の係止部材に係る変形例である。図６は、この変形例に係るバスダクト分岐装置８０を説明するための図であり、図６（ａ）は、変形例１ａに係る係止状態の固定及びその固定の解除を説明するための図であり、図６（ｂ）は、変形例１ｂに係る係止状態の固定及びその固定の解除を説明するための図であり、図６（ｃ）は、変形例１ｃに係る係止・係止解除状態の固定及びその固定の解除を説明するための図である。尚、各図の左側の図は、バスダクト分岐装置８０が取付けられたバスダクト６０を側面から見た図であり、右側の図は、これを長さ方向から見た図である。
【００９２】
変形例１ａ：図６（ａ）に示すように、操作部９０の略中央部には、ネジ９２（解除阻止手段）を挿通させる、雌ネジが切られたネジ孔が設けられている。このネジ孔に先端が本体部１２に当接するまでネジ９２を螺入させる。これにより、係止片８８ｂの溝部６６ｄへの係止状態において係止部材８４の板バネ５２の付勢力に抗する方向への回動が阻止され、係止状態が安定的に維持される。すなわち、何らかの外力が加わったとしても係止が解除されてバスダクト分岐装置８０がバスダクト６０から外れる等の不具合を未然に防止することが可能となる。なお、係止状態を解除させるには、図６（ａ）の右図に示すように、ネジ９２を、その先端が本体部１２から所定距離離反するように緩めればよい。
【００９３】
変形例１ｂ：図６（ｂ）に示すように、下面に操作部９０の上部が嵌入する凹部９４ａを有する操作部キャップ９４を解除阻止手段として用いることもできる。この操作部キャップ９４が操作部９０の上部にかぶせられ、その側面９４ｂが本体部１２と当接することで、係止片８８ｂの溝部６６ｄへの係止状態において係止部材８４の板バネ５２の付勢力に抗する方向への回動が阻止され、係止状態が安定的に維持される。
【００９４】
変形例１ｃ：図６（ｃ）に示すように、本体部１２の下面における両側部から支持片８２上部の高さ位置まで、舌片９６が下方に延設されており、この舌片９６には、雌ネジが切られたネジ孔９６ａが穿設されている。そして、操作部９０の、このネジ孔９６ａと対向する位置にも雌ネジが切られたネジ孔が設けられている。
【００９５】
この両ネジ孔は、解除及び係止阻止手段であるネジ９８が螺着可能なものであるが、その対向する角度が異なる。すなわち、係止状態において、ネジ９８を操作部９０のネジ孔に螺入させると、ネジ９８の螺入方向とネジ孔９６ａの軸方向が合わず、ネジ９８はネジ孔９６ａの開口縁部に当接することとなり、これにより、係止部材８４の係止解除方向への回動が阻止される。
【００９６】
また、操作部９０を本体部１２側へと操作した状態でネジ９８を操作部のネジ孔に螺入させると、ネジ９８の螺入方向とネジ孔９６ａの軸方向が一致し、ネジ９８がネジ孔９６ａに螺入可能となり、舌片９６に操作部９０がねじ固定される。したがって、係止解除状態が維持されることとなる。すなわち、変形例１ｃに係るバスダクト分岐装置８０によれば、簡易な構成で係止状態・係止解除状態を維持可能となる。
【００９７】
尚、係止状態及び／又は係止解除状態における係止部材８４の回動阻止手段を構成する部材の形状、構成等は適宜になされて良い。また、係止状態又は係止解除状態における係止部材の回動の阻止手段を別々に設けても良い。
【００９８】
（変形例２）
また、操作部に把持部を設けると好適である。図７は、本発明の第２実施の形態の変形例に係るバスダクト分岐装置８０の操作部９０に設けられた把持部を説明するための図であり、図７（ａ）は変形例２ａに係る把持部１０２を説明するための図であり、図７（ｂ）は変形例２ｂに係る把持部１０４を説明するための図である。尚、各図の左側の図は、バスダクト分岐装置８０が取付けられたバスダクト６０を側面から見た図であり、右側の図は、これを長さ方向から見た図である。
【００９９】
変形例２ａ：図７（ａ）に示すように、操作部９０の先端を本体部１２と離反する方向に一回折曲させ、さらにこの屈曲させた部分の中間部あたりで下方へと折曲させてなる断面視鉤状の把持部１０２としている。
【０１００】
変形例２ｂ：図７（ｂ）に示すように、操作部９０の先端を本体部１２から離反しつつ下方へと移行するように一回折曲させてなる把持部１０４としている。
【０１０１】
これらの変形例に係る把持部によると、操作部９０による操作が容易となる。また、変形例２ｂに係る把持部１０４によると、係止部材の１回の折曲で把持部を形成することが可能となる。尚、これらの把持部にパッキンやブッシング等を取付けて保護することも適宜になしうる。また、上記実施の形態の操作部に開口を設けて把持部にしても良い。把持部の構成は、把持可能であって、バスダクト分岐装置の取付け・取り外しを容易にするものであれば全ての把持部が含まれる。
【０１０２】
（変形例３）
また、本体部１２の突出する脚片への係止部材の軸支の態様を変更することも可能である。図８は、本発明の第１及び第２実施の形態に係るバスダクト分岐装置とは、脚片と係止部材の軸支の態様を変更した変形例を説明するための図である。左側の図は、バスダクト分岐装置が取付けられたバスダクト６０を側面から見た図であり、右側の図は、これをバスダクト６０の長さ方向から見た図である。
【０１０３】
この変形例においては、脚片３０の平板部１０６の高さ方向中央よりやや上部側の位置に、平板部の幅方向（長さ方向）に伸長する矩形のスリット１０６ａが設けられており、そのスリット１０６ａの上部の長さ方向中央位置に小さな円形の孔部が設けられている。
【０１０４】
係止部材１０８は、スリット１０６ａとほぼ等幅であると共にこのスリット１０６ａに挿通可能な幅を有する略矩形であって平板部１０６に外側から重なるように位置する回動基部１１０と、この回動基部１１０の下縁１１０ａで内方に折曲されてスリット１０６ａを挿通し、さらに上方且つ内方へと折曲されて先端がハウジング６０の溝部６６ｄに嵌入可能な係止片１１２と、回動基部１１０の上縁１１０ｂで外方且つ上方へ屈曲延設され、さらに先端部が上方へと屈曲延設されてなる板状の操作部１１４と、を有する。
【０１０５】
回動基部１１０の略中央部には平板部１０６の円形孔部とほぼ同径の孔部が設けられており、この二つの孔部にボルト１１６が緩挿され、ナット１１８により係止部材１０８を脚片３０へと緩やかに結合している。そして、このボルト１１６の軸部にコイルバネ１２０が外嵌されてボルト１１６の頭部１１６ａと平板部１０６の間に装填されている。
【０１０６】
すなわち、平板部１０６と回動基部１１０は常態において面接触するようにコイルバネ１２０によって付勢されており、これにより、係止片１１２は常態においてハウジング６０の溝部６６ｄ方向に付勢され、且つ溝部６６ｄに係止されている。そして、操作部１１４を矢印６００方向へ、すなわち、本体部１２側へと回動させると、コイルバネ１２０の付勢力に抗して係止部材１０８が回動し、係止片１１２が溝部６６ｄから離反し、係止が解除される。
【０１０７】
（変形例４）
また、付勢手段も上記実施の形態のように板バネ５２やコイルバネ１２０を用いる必要はなく、図９に示すように、硬質あるいは軟質のパッキン材１２２を使用しても良い。また、図８に示したように、コイルバネを用いることももちろん可能である。
【０１０８】
尚、図９の係止部材は、第１実施の形態で用いたネジ５０（解除阻止手段）を設けない構成であり、回動基部４０と平板部３４との間に硬質あるいは軟質のパッキン材１２２を配置しており、保持片４６によりパッキン材１２２の落下を防止している。
【０１０９】
また、上記実施の形態では、本体部１２から下方に突出する脚片３０（突出部）に、ハウジング６０を幅方向両側から係止する一対の係止部材において双方の係止部材を回動可能に設ける構成について説明したが、本発明は上記実施の形態に限定されるものではなく、少なくとも１つの係止部材のみを回動可能に設ければよく、特に、二対の係止部材のうち、４つの係止部材を回動可能に設ける場合も考えられる。その際、係止解除状態における係止部材の回動の係止阻止手段（上記変形例１ｃのネジ９８等を参照乞う）を設けると好適である。例えば、２つの係止部材による係止解除状態をこの係止阻止手段によって維持させておき、操作部を適宜に操作して他の二つの係止部材の係止を解除する作業を行うことにより、より容易にバスダクト分岐装置の取り外し作業を行うことができる。
【０１１０】
尚、係止部材を一つのみとする場合は、対向する一方を本体部１２に一端が固定されたフック状の係止部材として、このフック部をハウジング６０の溝部６６ｄに引っ掛け、他方に本発明に係る回動可能に軸支された係止部材を使用するようにすることも可能である。
【０１１１】
（変形例５）
さらに、脚片３０の平板部３４に、バスダクト分岐装置とバスダクト６０のハウジングの位置合わせ用の切欠き部を設けても良い。図１０は、本発明の第２実施の形態の変形例に係るバスダクト分岐装置８０のハウジング６６への取付けを説明するための図である。
【０１１２】
図１０（ａ）は、取付け前を示す図であり、図１０（ｂ）は取付け中を示す図であり、図１０（ｃ）は、取付け後を示す図である。尚、各図の左側の図は、バスダクト分岐装置８０が取付けられたバスダクト６０を側面から見た図であり、右側の図は、これを長さ方向から見た図である。
【０１１３】
図１０（ａ）に示すように、本変形例においては、脚片３０の平板部１２４には、その下縁１２４ａの幅方向（長さ方向）中央位置からその高さ方向略中央位置まで、略矩形の縦長な切欠き窓１２４ｂが設けられている。
【０１１４】
この構成によれば、例えば、バスダクト６０のハウジング６６を組み立てる際にその側面６６ｃに螺入されるネジ６６ｆ（図３参照乞う）を、開口部７０と同じ長さ方向の位置に設けることで、開口部７０とこの開口部７０に挿入させるべき接触子１６及びホルダー１８との位置決め効果が発揮でき、確実に開口部７０に接触子１６等を挿通させることが可能となる。
【０１１５】
尚、本体部１２内には必ずブレーカを設ける必要はなく、また、ホルダー１８に関しても必ずしも必須条件ではないことは言うまでも無い。
【０１１６】
（変形例６）
上記バスダクト分岐装置及びバスダクト分岐構造で使用されるバスダクト６０は上記実施の形態に限定されるものではなく、２線式、３線式或いは５線式以上のバスダクトであっても良く、また、図１１に示すような絶縁物で被覆された導体をハウジングに収納してなる所謂絶縁型バスダクトであっても良く、また絶縁物を被覆すると共に、導体を所定間隔離間させて配置させるバスダクト等どのようなバスダクトであっても良く、またハウジングの形状、構成もどのようなものであっても良い。
【０１１７】
図１１は、上記導体が絶縁物で被覆されたバスダクト１３０及びこのバスダクト１３０同士の接続部である接続ユニット１５０を説明するための図である。図１１（ａ）は平面図、図１１（ｂ）は正面図、図１１（ｃ）は図１１（ｂ）のＡ−Ａ断面図である。図１１（ｃ）に示すように、バスダクト１３０は、絶縁物１３２で被覆して密着させた３線の導体１３４と、これを断面コ字状の側板１３６と断面ロ字状のスペーサ１３８で上下左右方向から囲み込んでなるハウジング１４０と、を有し、このハウジング１４０の側板１３６相互がボルト及びナットの締着具で締着されることにより構成されている。また、バスダクト１３０は、導体１３４を突き合わせた状態で接続ユニット１５０にて接続されている。
【０１１８】
接続ユニット１５０は、図１１（ａ）に示すように、同相の導体端部１３４ａに沿うように配置される導電性接続板１５２、異相及び最外側の接続側板１５４との間を絶縁するセパレータ１５６、及びこれらを一括締着する絶縁スリーブに挿通された締着具で構成されている。締着具としては、ボルト１５８、ナット１６０、座金１６２及び押え金具１６４が用いられている。
【０１１９】
図１１（ａ）に示すように、この接続ユニット１５０の上下面は、蓋板１６６により閉じられている。この蓋板１６６には、略中央部に開口部（図示せず）が設けられており、この開口部に後述するバスダクト分岐装置の接触子が挿通されることにより分岐が行われる。さらに、蓋板１６６の前側（図示左側）のバスダクト１３０側であってその幅方向両端部には、バスダクト１３０の長さ方向に伸長するスリット１６６ｂがそれぞれ設けられている。
【０１２０】
次に、この接続ユニット１５０から分岐を行うバスダクト分岐装置１７０を、図１２を参照して説明する。図１２は、接続ユニット１５０へのバスダクト分岐装置１７０の取付けを説明するための図である。図１２（ａ）は取付け前、図１２（ｂ）は取付け中、図１２（ｃ）は取付け後の状態を示す図である。
【０１２１】
図１２（ａ）に示すように、バスダクト分岐装置１７０の、ブレーカ等を内包する本体部１７２の前方側（図示左側）下面に、蓋板１６６のスリット１６６ｂに差し込んで引っ掛けられる引掛片１７４が下方に突出して設けられている。本体部１７２の後方側（図示右側）下面には、本発明の第２実施の形態で詳述した一対の係止部材が本体部１７２の両側部から下方に突出する一対の脚片３０にそれぞれ軸支されており、本体部１７２の前方寄り位置の下面には、３つの接触子１７６が下方に突出している。
【０１２２】
次に、バスダクト分岐装置１７０の、バスダクト１３０の接続部（接続ユニット１５０）への取付けを説明する。まず、図１２（ａ）に示すように、接続ユニット１５０の上面（蓋板１６６の取付けられた面）と、バスダクト分岐装置１７０の本体部１７２の下面を対向配置させる。そして、図１２（ｂ）に示すように、引掛片１７４を接続ユニット１５０における蓋板１６６のスリット１６６ｂに挿入し、引掛片１７４を支点としてテコの原理で本体部１７２を矢印７００方向へ回動させ、接触子１７６を蓋板１６６の略中央部にある開口部に挿入させる。同時に、図１２（ｃ）に示すように、係止部材の係止片８８ｂ（係止部）がバスダクト１３０における側板１３６の外方端部１３６ａ（図１１（ｃ）参照乞う）に係止されてバスダクト分岐装置１７０のバスダクト１３０への取付け、及び係止が完了する。
【０１２３】
この分岐状態において、バスダクト分岐装置１７０の接触子１７６が導電性接続板１５２間に圧挿入されて分岐がとれる構造となっている。
【０１２４】
（変形例７）
また、上記第２実施の形態に係るバスダクト分岐装置８０において、係止部材及びこれを軸支する脚片のさらなる変形例を、図１３及び１４を参照して説明する。図１３は、本変形例に係る係止部材及び脚片を説明するための図であり、図１３（ａ）は要部分解側面図、図１３（ｂ）は要部分解正面図である。図１４は、本変形例に係るバスダクト分岐装置８０の、バスダクト６０のハウジングへの取付けを示す図であり、図１４（ａ）は取付け前、図１４（ｂ）は取付け中、図１４（ｃ）は取付け後の状態を示す図である。
【０１２５】
図１３に示すように、脚片１８０は、略矩形であってその下縁１８２ａのほぼ中央から上方へと伸長する切欠き部１８２ｂを有する平板部１８２と、この平板部１８２の長さ方向両側縁１８２ｃで幅方向外方へとそれぞれ折曲延設されて後述する係止部材１８６を軸支するための軸孔１８４ａを上部に有する支持片１８４と、を有する。
【０１２６】
係止部材１８６は、常態において脚片１８０の平板部１８２と平行に対向する略矩形の回動基部１８８と、回動基部１８８の長さ方向両側縁１８８ａで脚片１８０方向にそれぞれ折曲延設されて支持片１８４の外側に配置される回動固定片１９０と、を有する。
【０１２７】
回動基部１８８は、その中央よりやや下側に四隅が面取りされてなる面取り矩形の開口部１８８ｂを有し、上縁１８８ｃ近傍の長さ方向両側部寄り位置には、ネジ１９２を螺入させるための雌ネジが切られたネジ孔１８８ｄがそれぞれ設けられている。開口部１８８ｂは、作業者が外側から手を入れて係止部材１８６を把持するための把持部（操作部）を構成している。
【０１２８】
回動固定片１９０には、そのやや上部寄り位置に軸孔１９０ａが穿設されており、この軸孔１９０ａと軸孔１８４ａに軸ネジ１９４を挿通させることにより、脚片１８０に係止部材１８６が回動可能に軸支される。また、回動固定片１９０の脚片１８０側の側縁１９０ｂは、その下端から軸孔１９０ａ近傍の高さ位置まで脚片１８０方向へと突出する略三角形状の係止片１９０ｃを構成している。
【０１２９】
さらに、側縁１９０ｂは、係止片１９０ｃの鋭角部より上部において上方へと垂直に延在し、上端近傍において再び脚片１８０方向へと突出する凸部１９０ｄを構成している。尚、付勢手段はネジ１９２の軸部に周設されるコイルバネ１９６である。
【０１３０】
次に、脚片１８０への係止部材１８６の軸支について説明する。まず、脚片１８０の平板部１８２と係止部材１８６の回動基部１８８を対向配置させ、回動固定片１９０を支持片１８４の外側に重ね、軸ネジ１９４を軸孔１９０ａ、１８４ａに挿通させて脚片１８０に係止部材１８６を軸支する。
【０１３１】
そして、平板部１８２と回動基部１８８間に配置したコイルバネ１９６に、ネジ孔１８８ｄに螺着させたネジ１９２を挿通させる。尚、ネジ１９２は、図１３（ａ）右側に示すように、先端が平板部１８２と回動基部１８８の中間位置にくる程度の長さであり、コイルバネ１９６は、係止部材１８６の下部側を脚片１８０の下部側に押し付ける方向に付勢している。また、このようにネジ１９２にコイルバネ１９６を周設する構成とすることで、通常のコイルバネ１９６を付勢手段として用いることが可能となっている。
【０１３２】
次に、バスダクト６０のハウジング６６へのバスダクト分岐装置８０の取付けについて説明する。図１４（ａ）に示すように、バスダクト６０におけるハウジング６６の上面６６ａに設けられた開口部７０に対応する位置で、バスダクト分岐装置８０を下方へと移動させる。
【０１３３】
すると、下方へと移動させるにつれて、図１４（ｂ）に示すように、ハウジング６６の幅方向内方へと突出する係止片１９０ｃ（係止部位）が、ハウジング６６の側面６６ｃに当接して係止部材１８６がコイルバネ１９６の付勢力に抗して外方へと回動する。さらに、バスダクト分岐装置８０を下方へと移動させると、ハウジング６６の側面６６ｃ上を滑り続けた係止片１９０ｃの鋭角部は、溝部６６ｄに差し掛かったところでコイルバネ１９６の付勢力により内方へと回動してハウジング６６の溝部６６ｄへと嵌入し、同時に、係止片１９０ｃと凸部１９０ｄによってハウジング６６の凸部６６ｇ（図１４（ｃ）右図参照乞う）が保持され、安定的にバスダクト分岐装置８０がバスダクト６０のハウジング６６に取り付けられることとなる。
【０１３４】
また、バスダクト分岐装置８０を取り外す場合には、開口部１８８ｂ（把持部）に手を入れて係止部材１８６を把持し、そのまま外方へ力を加えながらバスダクト分岐装置８０を上方に持ちあげることにより、係止片１９０ｃによる係止が解除されてバスダクト分岐装置８０が速やかに取り外される。このとき、係止部材１８６が外方に回動することにより、凸部１９０ｄがハウジング６６の上面６６ａを押し下げるので、バスダクト分岐装置８０が取り外しやすくなっている。
【０１３５】
更に、係止部材１８６に設けた把持部となる開口部１８８ｂ（操作部）に手を入れて係止部材１８６を外方に回動させることで上記係止状態が解除されるので、操作部を別途構成する必要がなくなり、バスダクト分岐装置８０の構成が単純化されている。
【０１３６】
本構成により、係止部材１８６の回動基部１８８と、脚片１８０の平板部１８２との間に、空間が形成されているため、把持部１８８ｂに手を入れて作業することが容易となる。
【０１３７】
また、コイルバネ１９６が係止部材１８６と脚片１８０の中に収納されているため、外観上美観に優れたバスダクト分岐装置８０を提供することができる。
【０１３８】
尚、ネジ１９２を長めにしておき、バスダクト分岐装置８０を取り付けた後に、ネジ１９２を螺入して脚片１８０の平板部１８２まで略当接する構成とすることもでき、解除阻止手段の役割を果たすことも可能である。
【０１３９】
また、脚片１８０に設けられた一対の支持片１８４の内の少なくとも一方端部を内方に屈曲延設させて阻止片とし、この阻止片に穴を穿設し、更に、係止部材１８６の回動基部１８８の前記阻止片の穴に対応する位置にファスナを取り付けておき、ワンタッチで阻止片と回動基部を固定して解除阻止する構成であっても良い。
【０１４０】
（変形例８）
また、上記第２実施の形態に係るバスダクト分岐装置において、係止部材及びこれを軸支する脚片の変形例を、図１５〜１７を参照して説明する。図１５は、本変形例に係る係止部材及び脚片を説明するための図であり、図１５（ａ）は要部分解平面図、図１５（ｂ）は要部分解側面図、図１５（ｃ）は要部分解正面図である。図１６は、同じく本変形例に係る係止部材及び脚片を説明するための図であり、図１６（ａ）は要部平面図、図１６（ｂ）は要部側面図、図１６（ｃ）は要部正面図である。図１７は、本変形例に係るバスダクト分岐装置８０の、バスダクト６０のハウジングへの取付けを示す図であり、図１７（ａ）は取付け前、図１７（ｂ）は取付け中、図１７（ｃ）は取付け後の状態を示す図である。
【０１４１】
図１５〜１７に示すように、脚片２００は、変形例７における脚片１８０と近似する構成を有する。すなわち、脚片２００は、略矩形であってその下縁２０２ａのほぼ中央から上方へと伸長する切欠き部２０２ｂを有する平板部２０２と、この平板部２０２の長さ方向両側縁２０２ｃで幅方向外方へとそれぞれ折曲延設されて後述する係止部材２０６を軸支するための軸孔２０４ａを下部に有する支持片２０４と、を有する。
【０１４２】
支持片２０４には、軸孔２０４ａの上方位置に、後述するスイッチ状の解除阻止手段２２２における舌片２２２ａを挿通可能な略矩形の鍵穴２０４ｂが穿設されている。
【０１４３】
係止部材２０６は、常態において脚片２００の平板部２０２に対して略平行に対向する略矩形の回動基部２０８と、回動基部２０８の長さ方向両側縁２０８ａで脚片２００方向にそれぞれ折曲延設されて支持片２０４の外側に配置される回動固定片２１０と、回動基部２０８の高さ方向上縁２０８ｂからさらに上方に延設された突片２１２と、を有する。
【０１４４】
回動基部２０８は、その中央よりもやや上側に回動基部の幅方向全長に亘って延在する細長長方形の開口部２０８ｃと、開口部２０８ｃよりも下方且つ長さ方向一方側に偏倚した位置に設けられた略矩形の開口窓２０８ｄと、回動基部２０８の下端２０８ｅ近傍に設けられた、ネジ２１４を螺入するための雌ネジが切られたネジ孔２０８ｆと、を有する。
【０１４５】
開口部２０８ｃは、作業者が外側から手を入れて係止部材２０６を把持するための把持部（操作部）を構成しており、開口窓２０８ｄには、後述するスイッチ状の解除阻止手段２２２が嵌め込まれる。
【０１４６】
突片２１２は、詳細は後述するが、所定の状態にあるときにバスダクト分岐装置８０全体を外側から覆うケーシング２１６と当接し、ケーシング２１６のバスダクト分岐装置８０への取付けを阻害する作用を有する。
【０１４７】
回動固定片２１０には、そのやや下部よりの位置に軸孔２１０ａが穿設されており、この軸孔２１０ａと軸孔２０４ａに軸ネジ２１８を挿通させることにより、脚片２００に係止部材２０６が回動可能に軸支される。また、回動固定片２１０の脚片２００側の側縁２１０ｂは、その下端から軸孔２１０ａを超えて略中央近傍の高さ位置まで脚片２００方向へと突出する略三角形状の係止片（係止部位）２１０ｃを構成している。
【０１４８】
尚、付勢手段は、ネジ２１４の軸部に周設されるコイルバネ２２０であり、この付勢手段の取付けは、回動基部２０８に穿設された２つのネジ孔２０８ｆのうちの１箇所に対してであっても、２箇所共にであってもよい。
【０１４９】
スイッチ状の解除阻止手段２２２は、略直方体状の箱体である本体部２２２ａと、本体部２２２ａに収納されてこの本体部２２２ａの長手方向に移動操作可能なスイッチ操作部２２２ｂと、スイッチ操作部２２２ｂの長手方向への移動操作に伴って本体部２２２ａの長手方向一端部から外部へと突出する状態、或いは本体部２２２ａ内に収納された状態をとる舌片２２２ｃと、を有する。
【０１５０】
図１５（ｃ）に示すように、この解除阻止手段２２２のスイッチ操作部２２２ｂを図示右方向（解除方向）に移動することにより舌片２２２ｃが本体部２２２ａ内に収納され、図示左方向（阻止方向）に移動させることにより舌片２２２ｃが本体部２２２ａの長手方向一端部から外部へと突出する構成となっている。
【０１５１】
尚、解除阻止手段２２２のスイッチ操作部２２２ｂ及び舌片２２２ｃを移動させる構成は、解除方向へ移動した状態を維持して手を放すと自動的に阻止方向へ移動する構成、阻止方向へ移動した状態を維持して手を放すと自動的に解除方向へ移動する構成、並びに解除方向及び阻止方向へと移動した状態を共に維持する構成等、適宜である。本変形例においては、解除方向及び阻止方向へと移動した状態を共に維持する構成となっている。
【０１５２】
次に、脚片２００への係止部材２０６の軸支について説明する。まず、脚片２００の平板部２０２と係止部材２０６の回動基部２０８を対向配置させ、回動固定片２１０を支持片２０４の外側に重ね、軸ネジ２１８を軸孔２１０ａ及び軸孔２０４ａに挿通させて脚片２００に係止部材２０６を軸支する。
【０１５３】
そして、平板部２０２と回動基部２０８との間に配置したコイルバネ２２０に、回動基部２０８に設けられたネジ孔２０８ｆに螺着させたネジ２１４を挿通させる。
【０１５４】
さらに、解除阻止手段２２２を、回動基部２０８の開口窓２０８ｄに嵌め込んで固定する。この固定状態において、スイッチ操作部２２２ｂの操作により舌片２２２ｃを阻止方向へと移動させて本体部２２２ａの外部へと突出させ、支持片２０４の鍵穴２０４ｂへと入り込ませる（図１６（ａ）参照乞う）。すると、同図（ａ）及び（ｂ）に示すように、係止部材２０６の矢印８００方向及び９００方向への移動が鍵穴２０４ｂと舌片２２２ｃとの係合により係止される。したがって、この状態においては、第２実施の形態で示すような、バスダクト６０のハウジング６６へのバスダクト分岐装置８０の取付け及び取り外しが不能な状態となっている。
【０１５５】
以上の構成を有する本変形例に係るバスダクト分岐装置８０の、バスダクト分岐装置の取付けについて、図１７により説明する。
【０１５６】
まず、図示のように、解除阻止手段２２２のスイッチ操作部２２２ｂを解除方向に移動させ、舌片２２２ｃが鍵穴２０４ｂに入り込んでいない状態とし、バスダクト分岐装置８０からケーシング２１６を取り外す。
【０１５７】
この状態で、図１７（ａ）に示すようにバスダクト分岐装置８０をバスダクト６０のハウジング６６側へと移動させることにより、ハウジングの幅方向内方へと突出する係止片２１０ｃ（係止部位）が、同図（ｂ）に示すようにハウジング６０の側面６６ｃに当接して係止部材２０６がコイルバネ２２０の付勢力に抗して外方へ回動する。そして、さらにバスダクト分岐装置８０をバスダクト６０側へと移動させると、ハウジング６０の側面６６ｃ上を滑り続けた係止片２１０ｃの鋭角部は、溝部６６ｄに差し掛かったところでコイルバネ２２０の付勢力により内方に回動してハウジングの溝部６６ｄに嵌入し、安定的にバスダクト分岐装置８０がバスダクト６０のハウジング６６に取り付けられることとなる。
【０１５８】
その後、手動でスイッチ操作部２２２ｂを阻止方向へと移動させ、舌片２２２ｃを鍵穴２０４ｂに入り込ませることで脚片２００に対する係止部材２０６の軸部での回動が不能となり、確実な取付けが完了する。
【０１５９】
また、バスダクト分岐装置８０を取り外す場合には、スイッチ操作部２２２ｂを解除方向に移動させ、開口部２０８ｃに手を入れて係止部材２０６を把持し、そのまま外方へ力を加えながらバスダクト分岐装置８０を上方に持ちあげることにより、係止片２１０ｃによる係止が解除されてバスダクト分岐装置８０が速やかに取り外される。
【０１６０】
さらに、本変形例の特徴の一つである突片２１２の作用について説明する。通常、バスダクト分岐装置８０がバスダクト６０のハウジング６６に取付けられた後、図１７（ｃ）に示すように、バスダクト分岐装置８０はケーシング２１６により保護される。本変形例においては、同図（ｂ）に示すように、バスダクト分岐装置８０をバスダクト６０のハウジング６６に取付ける過程においてその取付けが不完全なとき、すなわち、係止片２１０ｃがハウジング６６の溝部６６ｄに達していないときは、高さ方向上方且つ幅方向外方に向かって斜めに突出する突片２１２がケーシング２１６と干渉し、ケーシング２１６をバスダクト分岐装置８０に取付けることができない構成となる。
【０１６１】
これにより、作業者は、ハウジング６６の溝部６６ｄに係止片２１０ｃが係合していない、不完全な取付け状態であることをケーシング２１６の取付け時において認識することができるので、不完全な取付けに起因するバスダクト６０のハウジング６６からのバクダクト分岐装置８０の脱離等を未然に防止することが可能となる。
【０１６２】
また、本変形例に係るバスダクト分岐装置８０によれば、係止部材２０６の回動基部２０８と脚片２００の平板部２０２との間に空間が形成されているため、開口部２０８ｃに手を入れて作業することが容易となる。
【０１６３】
また、解除阻止手段２２２の解除阻止作業及び解除作業が容易となると共に、上述の通り係止片２１０ｃによるバスダクト６０のハウジング６６への係止が確実に行われることとなる。
【０１６４】
尚、本変形例においては、図１５（ａ）に示すように、各脚片２００ごとに付勢手段（コイルバネ２２０）を一つずつ設け、且つ突片２１２を設けているが、他の構成をとることも可能である。以下、変形例９として他の構成の一例を説明する。図１８（ａ）は、変形例９に係るバスダクト分岐装置８０の係止部材及び脚片を説明するための概略斜視図であり、図１８（ｂ）は変形例９に係るバスダクト分岐装置８０を他の方向から見た概略斜視図である。
【０１６５】
（変形例９）
本変形例に係るバスダクト分岐装置８０は、図１８に示すように、変形例８のバスダクト分岐装置８０から、各脚片２００ごとに二つずつコイルバネ２２０（付勢手段）を設け、突片２１２を無くし、且つ解除阻止手段２２２を取り除いた構成を有する。
【０１６６】
また、回動基部２０８の下部で、長さ方向（図の矢印ｘ方向）の中央部分には、逆三角形状の位置決め用の位置決め孔２０８ｇが穿設されている。
【０１６７】
さらに、回動基部２０８の長さ方向略中央部には、断面視略Ｊ字状のフック形状であって基端部２０９ａが開口部２０８ｃより下部の位置にビス等によって固定され、基端部２０９ａから先端部２０９ｃへと平板部２０２に近接しつつ湾曲し、先端部２０９ｃ側の板状のアース部２０９ｂが平板部２０２と略平行に延在するアースバー２０９が配置されている。アースバー２０９のアース部２０９ｂは切欠き部２０２ｂと対向する位置にある。
【０１６８】
以上からなるバスダクト分岐装置８０を変形例５のバスダクト６０に取り付ける場合、位置決め用の位置決め孔２０８ｇとバスダクト６０に取り付けられているネジ６６ｆ（図３（ｂ）参照乞う）とを位置合わせして配置し、変形例５と同様の取り付け作業を行うことにより、切欠き部２０２ｂに配置されているアースバー２０９のアース部２０９ｂが弾性的に変形しつつネジ６６ｆの頭部に当接することとなる。
【０１６９】
本変形例に係るバスダクト分岐装置８０によれば、より簡単な構成で安価な装置になると共に、本体部１２の脚片２００に軸支された係止部材２０６において、変形例８同様に開口部２０８ｃ（把持部（操作部））、係止片（係止部位）２１０ｃ及び軸ネジ２１８に支持された部位（軸部）が順に位置している。したがって、軸部（支点）から開口部２０８までの距離が、軸部（支点）から係止片２１０ｃまでの距離より大きくなり、テコの原理により、より小さな力でコイルバネ２２０（付勢手段）による付勢力に抗して開口部２０８を操作することができる。
【０１７０】
また、位置決め用の位置決め孔２０８ｇを有することにより、バスダクト６０のネジ６６ｆと位置合わせするだけで、正確な位置にバスダクト分岐装置８０を配置することができ、且つ取り付けを行うことができる。
【０１７１】
また、バスダクト分岐装置８０をバスダクト６０に取り付けることにより、ネジ６６ｆとアースバー２０９の接触を介して自動的にアースを取ることが可能となり、安全なバスダクト分岐装置８０を提供することが可能となる。
【符号の説明】
【０１７２】
１０、８０、１７０  バスダクト分岐装置
１２、１７２  本体部
２０、８４、１０８、１８６、２０６  係止部材
４８、９０、１１４  操作部
５０、９２  ネジ（解除阻止手段）
９８  ネジ（解除及び係止阻止手段）
５２  板バネ（付勢手段）
６０、１３０  バスダクト
６６、１４０  ハウジング
６６ｄ、６６ｅ  溝部（凹部）
９１  クッション性部材
９４  操作部キャップ（解除阻止手段）
９６  舌片（解除及び係止阻止手段）
９６ａ  ネジ孔（解除及び係止阻止手段）
１０２、１０４  把持部
１２２  パッキン材（付勢手段、弾性パッキン）
１８８ｂ、２０８ｃ  開口部（操作部、把持部）
１２０、１９６、２２０  コイルバネ（付勢手段）
２２２  解除阻止手段
【図１】
2014103843.tif 000003
【図２】
2014103843.tif 000004
【図３】
2014103843.tif 000005
【図４】
2014103843.tif 000006
【図５】
2014103843.tif 000007
【図６】
2014103843.tif 000008
【図７】
2014103843.tif 000009
【図８】
2014103843.tif 000010
【図９】
2014103843.tif 000011
【図１０】
2014103843.tif 000012
【図１１】
2014103843.tif 000013
【図１２】
2014103843.tif 000014
【図１３】
2014103843.tif 000015
【図１４】
2014103843.tif 000016
【図１５】
2014103843.tif 000017
【図１６】
2014103843.tif 000018
【図１７】
2014103843.tif 000019
【図１８】
2014103843.tif 000020